(57)【要約】      （修正有）【課題】リハビリ（治療具）、或いはマッサージ（マッサージ具）として用いることができる加圧バンドを提供する。【解決手段】筋肉の周囲を巻き付けることができ、かつ、一部又は全部が伸縮性を有する所定長のバンド本体と、このバンド本体の一端部に取付けられたバックル形式の雌係合体と、この雌係合体に係脱自在に連結し、かつ、前記バンド本体の他端部側に該バンド本体の他端部を引っ張ることにより位置変位可能に装着されたバックル形式の雄係合体と成り、雌係合体は、その扁平状の裏面全体が、バンド本体の弾性素材で形成された一端部側の上面に位置するように、そのループ状の取付け基端部がバンド本体の一端部寄りの部位に回転自在に取付けられており、バックル形式の雌係合体とこれに係入連結した前記雄係合体は、人体の皮膚に食い込まないように弾性素材で形成された舌片状の一端部側の上面に常に位置していることを特徴とする。【選択図】図５
2010259622.tif 000002
【特許請求の範囲】
【請求項１】
筋肉の周囲を巻き付けることができ、かつ、一部又は全部が伸縮性を有する所定長のバンド本体と、このバンド本体の一端部に取付けられたバックル形式の雌係合体と、この雌係合体に係脱自在に連結し、かつ、前記バンド本体の他端部側に該バンド本体の他端部を引っ張ることにより位置変位可能に装着されたバックル形式の雄係合体と成る人体用加圧バンドであって、前記雌係合体は、その裏面全体が、前記バンド本体の弾性素材で形成された一端部側の上面に位置するように、そのループ状の取付け基端部がバンド本体の一端部寄りの部位に回転自在に取付けられており、使用時、前記バックル形式の雌係合体とこれに係入連結した前記雄係合体は、人体の皮膚に食い込まないように前記弾性素材で形成された舌片状の一端部側の上面に常に位置していることを特徴とする人体用加圧バンド。
【請求項２】
請求項１に於いて、バンド本体は、非伸縮性部分と、伸縮性部分とから成り、前記非伸縮性部分の裏側には、バンドの長手方向に面ファスナーが一体的に取り付けられていることを特徴とする人体用加圧バンド。
【請求項３】
請求項２に於いて、非伸縮性の部分の面ファスナーには、単数又は複数個の弾性部材が自在に係着することを特徴とする人体用加圧バンド。
【発明の詳細な説明】
【技術分野】
【０００１】
本発明は、人体用加圧バンドに関し、特に、人体の腕や脚に締め付け状態に巻き付けて、リハビリ（治療具）、或いはマッサージ（マッサージ具）、或いはまたトレーニング（筋力鍛錬具）として用いることができる人体用加圧バンドに関する。
【背景技術】
【０００２】
特許文献１及び特許文献２の各図１には、「筋肉増強用の緊締具」と称する人体用加圧バンドの一例が記載されている。この人体用加圧バンド（緊締具）は、筋肉の周囲を巻き付けることができる所定長の伸縮性バンド本体と、この伸縮性バンド本体の一端部に取付けられた金属製の連結リングと、この連結リングの反対側に相当するバンド本体の他端部乃至中央部側に設けられた第１・第２面ファスナーとから成り、筋肉の鍛錬時、例えば腕の上腕部や脚の大腿部に締め付け状態（加圧状態）に巻き付けるために、バンド本体の他端部を連結リングに折り返すように通して、かつ、第１面ファスナーと第２面ファスナーとを互いに係着させる。
【０００３】
しかし、連結手段として金属製の連結リングを用いた人体用加圧バンドは、バンド本体を締め付けるほど、連結リングが直接皮膚に食い込むので、「痛い」、という問題点がある。
【０００４】
また、トレーニング（筋力鍛錬具）以外に用いる場合、例えばリハビリ（治療具）、或いはマッサージ（マッサージ具）として用いる場合には、バンド本体の他端部を強く引っ張る必要があるので、バリアフリーの観点から、バンド本体をループ状に簡単に連結することが望まれる。
【０００５】
なお、バックル形式の雌係合体と、これに係脱するバックル形式の雄係合体とから成る合成樹脂製バックルの一例として、特許文献３を記載する。合成樹脂製バックルの構成自体は公知の事項ではあるが、出願人が貴庁の電子図書館にアクセスして調査した範囲内に於いて、人体の腕や脚に締め付け状態に巻き付けて、リハビリ（治療具）、或いはマッサージ（マッサージ具）、或いはまたトレーニング（筋力鍛錬具）として用いることができる人体用加圧バンドの技術分野では、慣用事項ではなかった。
【特許文献１】特許第２６７０４２１号の図１
【特許文献２】特許第２７９６２７７号の図１
【特許文献３】特開平６−３８８０９号
【発明の開示】
【発明が解決しようとする課題】
【０００６】
本発明の所期の目的は、トレーニング（筋力鍛錬具）以外に、例えばリハビリ（治療具）、或いはマッサージ（マッサージ具）として用いることができる人体用加圧バンドを提供することである。第２の目的は、バンド本体の他端部を引っ張ってループ状のバンド本体を締め付け、その径を所望する径へと変化させても、連結手段としての雌係合体と雄係合体の裏面が直接に皮膚に食い込まないことである。第３の目的は、バリアフリーの観点から、バンド本体をループ状に簡単に連結することができることである。その他の目的は、水中でも治療具として使用することができることである。
【課題を解決するための手段】
【０００７】
本発明の人体用加圧バンドは、筋肉の周囲を巻き付けることができ、かつ、一部又は全部が伸縮性を有する所定長のバンド本体と、このバンド本体の一端部に取付けられたバックル形式の雌係合体と、この雌係合体に係脱自在に連結し、かつ、前記バンド本体の他端部側に該バンド本体の他端部を引っ張ることにより位置変位可能に装着されたバックル形式の雄係合体と成る人体用加圧バンドであって、前記雌係合体は、その扁平状の裏面全体が、前記バンド本体の弾性素材で形成された一端部側の上面に位置するように、そのループ状の取付け基端部がバンド本体の一端部寄りの部位に回転自在に取付けられており、使用時、前記バックル形式の雌係合体とこれに係入連結した前記雄係合体は、人体の皮膚に食い込まないように前記弾性素材で形成された舌片状の一端部側の上面に常に位置していることを特徴とする。
【発明の効果】
【０００８】
（１）トレーニング以外に、例えばリハビリ或いはマッサージとして用いることができる。付言すると、多用途的に使用することができる。
（２）バンド本体の他端部を引っ張ってループ状のバンド本体を締め付け、その径を所望する径へと変化させても、連結手段としての雌係合体と雄係合体の裏面は、弾性素材で形成された舌片状の一端部側の上面に常に位置しているので、皮膚に痛みを感じない。
付言すると、バンド本体の一部又は全部の幅を、例えば５ｃｍ程度から３ｃｍ程度、或いは４ｃｍ程度から２ｃｍ程度にしても、連結手段としての雌係合体と雄係合体の裏面が、舌片状の弾性素材（例えば発砲ゴムあるいはウレタン）の上面に乗っかっている限り、連結手段が直接皮膚に食い込むことがないので、皮膚に痛みを感じない。
（３）連結手段としての雌係合体と雄係合体を採用していることから、バンド本体をループ状に簡単に連結することができる。したがって、使用者によっては、バリアフリーの要求を満たすことができる。
（４）その他、バンド本体がウエットスーツの素材（スポンジ状のゴム部材）でできている実施例の場合には、水中でも治療具として使用することができる。
【発明を実施するための最良の形態】
【０００９】
以下、図１乃至図６に示す本発明を実施するための最良の形態により説明する。
【００１０】
（１）発明の実施の環境
図１は、正面図、図２は背面図、図３は右側面図、図４は図１の４−４線断面図、図５は単数又は複数個の弾性部材が自在に係着可能である旨の概略説明図、そして、図６は発明の実施の一例を示す概略説明図である。
【００１１】
図１乃至図６に於いて、Ｘは人体用加圧バンドで、該人体用加圧バンドＸは、基本的には、筋肉の周囲を巻き付けることができ、かつ、一部又は全部が伸縮性を有する所定長のバンド本体１と、このバンド本体１の一端部１ａに取付けられたバックル形式の雌係合体２と、この雌係合体２に係脱自在に連結し、かつ、前記バンド本体１の他端部１ｂ側に該バンド本体の他端部を引っ張ることにより位置変位可能に装着されたバックル形式の雄係合体３と成る。
【００１２】
したがって、この人体用加圧バンドＸは、図５で示す単数又は複数個の弾性部材Ｙを含まない。付言すると、第三者が人体用加圧バンドＸに単数又は複数個の弾性部材Ｙ、又はこれに類する付着具を用いて使用した場合には、「利用発明」或いは「利用考案」となり得る。
【００１３】
さて、連結手段としての雌係合体２及び雄係合体３は、カバン類に使用されている周知事項なので、ここでは具体的構成の説明は割愛し、簡単に説明する。
【００１４】
図１を基準にすると、バンド本体１の一端部１ａ上面（紙面上方）にテープ状取付け片４を介して回転自在に取付けられているのがバックル形式の合成樹脂製雌係合体２である。この雌係合体２は、例えば図３、図４で示すように、ループ状の取付け基端部２ａがバンド本体１の一端部１ａ寄りの部位に回転自在に取付けられており、弾性素材で形成された舌片状の一端部側の上面に常に位置している。
【００１５】
雌係合体２は、図４で示すように、不番の表面壁と裏面壁の間が所定空間５となっている。また、雌係合体２は、図３で示すように、不番の左右の側壁に係合孔６を有している。
【００１６】
これ対して、図１を基準にすると、紙面下方に位置しているのがバックル形式の合成樹脂製雄係合体３で、この雄係合体３はバンド本体１の他端部１ｂ側に位置変位可能に装着されている。
【００１７】
バンド本体１の他端部１ｂは、雄係合体３よりも上方に位置する保持輪７（紙面下方）の内側に通されている。バックル形式の雄係合体３は、例えば特許文献３に記載されているように、バンド本体１の他端部１ｂ側を折り返すことができる輪状のバンド保持部３ａと、このバンド保持部３ａに連結し、かつ弾性変位復帰機能を有すると共に摘み状の押圧部分を有する左右一対の係合腕３ｂ、３ｂと、これらの係合腕の間に位置するように前記バンド保持部３ａから先端方向へと所定量延在するバー状ガイド部３ｃとから成る。
【００１８】
したがって、雄係合体３の先端部（係合腕３ｂ、３ｂ、バー状ガイド部３ｃ）を雌係合体２の所定空間５に嵌め込むと、前記左右一対の係合腕３ｂ、３ｂは一旦内側に変位した後に、材質自体の復帰力により元の形態に復帰し、その不番係合爪が雌係合体２の左右一対の係合孔６に同時に係合する。
【００１９】
なお、係合腕３ｂ、３ｂの摘み状の押圧部分を内側方向へと同時に押し込むと、左右一対の係合孔６は材質自体のバネ力に抗して内側に変位して雌係合体２と雄係合体３との係合状態は解かれる。
【００２０】
図２及び図３を参照にして、バンド本体１に付加された構成を説明する。図２はバンド本体１の背面図であるが、バンド本体１の裏側の中央部乃至中央部寄りの部位には、バンド本体１の長手方向に該バンド本体１と略同一幅の面ファスナー１０が取付けられている。
【００２１】
面ファスナー１０は、例えばバンド本体１に逢着されていることから、バンド本体１と一体である。この面ファスナー１０を基準にすると、面ファスナー１０よりも上方半分の部分は、ウエットスーツの素材（スポンジ状のゴム部材）である。したがって、上方半分の部分は弾性力がある。
これに対して、面ファスナー１０を含む又は含まないで、該面ファスナー１０よりも半分の下方部分は、非伸縮性の素材（合成繊維）でできている。
【００２２】
しかして、図５で示すように、人体用加圧バンドＸを、例えばリハビリ（治療具）、或いはマッサージ（マッサージ具）として用いる場合には、望ましくは、非伸縮性の部分の面ファスナー１０に単数又は複数個の弾性部材Ｙを係着させる。本実施例の弾性部材Ｙは、面ファスナー１０と略同一の幅で、かつ矩形状に形成されている。もちろん、弾性部材Ｙ及びその形状は、本発明の本質的事項ではない。
【００２３】
人体用加圧バンドＸを、使用する際には、図６で示すように、例えば、腕の上腕部や脚の大腿部に締め付け状態（加圧状態）に巻き付けて使用する。付言すると、バンド本体１の非伸縮性部分の端部（引っ張り部）１ｂを引っ張ることにより、例えば、腕や脚に締め付け状態（加圧状態）に巻き付けることができる。そして、使用時、バックル形式の雌係合体２とこれに係入連結した雄係合体３は、人体の皮膚に食い込まないように弾性素材で形成された舌片状の一端部１ａ側の上面に常に位置している（特徴事項）。
【実施例】
【００２４】
発明の実施の形態で示した実施例に於いて、非伸縮性の部分の裏側には、バンドの長手方向に面ファスナーが一体的に取り付けられているが、この面ファスナーは、あっても、なくても良い。付言すると、請求項１では、発明の特定（限定）要件ではない。
また、弾性素材で形成された舌片状の一端部やスポンジ状のゴム部材は、マッサージの際、痛くならないようにするための工夫である。
【産業上の利用可能性】
【００２５】
本発明は、主にリハビリ（治療具）、或いはマッサージ（マッサージ具）、或いはまたトレーニング（筋力鍛錬具）の業界で利用される。
【図面の簡単な説明】
【００２６】
図１乃至図６は本発明の最良の実施例を示す各説明図。
【図１】正面図。
【図２】背面図。
【図３】右側面図。
【図４】図１の４−４線断面図。
【図５】単数又は複数個の弾性部材が自在に係着可能である旨の概略説明図。
【図６】発明の実施の一例を示す概略説明図。
【符号の説明】
【００２７】
Ｘ…人体用加圧バンド、1…バンド本体、１ａ…一端部、１ｂ…他端部、２…バックル形式の雌係合体、２ａ…取付け基端部、３…バックル形式の雄係合体、１０…面ファスナー、Ｙ…弾性部材。
【図１】
2010259622.tif 000003
【図２】
2010259622.tif 000004
【図３】
2010259622.tif 000005
【図４】
2010259622.tif 000006
【図５】
2010259622.tif 000007
【図６】
2010259622.tif 000008